【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
方法であって、
ピクチャに対するレイヤ間参照の優先順位を、該ピクチャに対する１つまたは複数の非レイヤ間参照に対して決定するステップであって、該レイヤ間参照が該ピクチャとはコンテンツ・タイプが異なる、該ステップと、
前記優先順位に基づいて前記レイヤ間参照を前記ピクチャの参照の順序付けされたリストに含めるステップと、
を含む、前記方法。
【請求項２】
前記ピクチャに対する依存関係情報に基づいて該ピクチャに対する前記レイヤ間参照を決定するステップをさらに含む、請求項１に記載の方法。
【請求項３】
前記レイヤ間参照を前記ピクチャを含む符号化動作において使用するステップをさらに含む、請求項１に記載の方法。
【請求項４】
前記符号化動作が、少なくとも部分的には前記レイヤ間参照に基づいて前記ピクチャを符号化することを含む、請求項３に記載の方法。
【請求項５】
前記符号化動作が、少なくとも部分的には前記レイヤ間参照に基づいて前記ピクチャを復号することを含む、請求項３に記載の方法。
【請求項６】
前記ピクチャに対する前記依存関係情報が受信したシンタックス要素からアクセスされる、請求項２に記載の方法。
【請求項７】
前記含めるステップが、時間的参照またはビュー間参照の少なくとも１つを前記順序付けされたリストに含めることをさらに含む、請求項１に記載の方法。
【請求項８】
前記符号化されたピクチャと１つまたは複数のその他のピクチャとが所与の時点の所与のビューに対する３次元（３Ｄ）情報を記述しており、
当該方法は、
前記１つまたは複数のその他のピクチャを符号化するステップと、
前記符号化されたピクチャと前記符号化された１つまたは複数のその他のピクチャとが、構造にどのように適応するかを示すシンタックス要素を生成するステップであって、該構造がピクチャのコンテンツ・タイプを規定する３Ｄ処理に対応する、該ステップと、
前記符号化されたピクチャと前記符号化された１つまたは複数のその他のピクチャと前記シンタックス要素とを含むビットストリームを生成するステップであって、該シンタックス要素を含むことにより、符号化されたビットストリームのレベルで、前記構造における該符号化されたピクチャと該符号化された１つまたは複数のその他のピクチャとの間の関係を示す指示が与えられる、該ステップと、
をさらに含む、請求項４に記載の方法。
【請求項９】
前記ピクチャと１つまたは複数のその他のピクチャとが所与の時点の所与のビューに対する３次元（３Ｄ）情報を記述しており、
当該方法は、
ビットストリーム内の前記ピクチャの符号化されたピクチャおよび前記１つまたは複数のその他のピクチャの符号化された１つまたは複数のその他のピクチャにアクセスするステップであって、前記ピクチャおよび前記１つまたは複数のその他のピクチャが所与の時点の所与のビューに対する異なる３Ｄ情報を記述する、該ステップと、
前記ビットストリーム内のシンタックス要素にアクセスするステップであって、該シンタックス要素が、前記ピクチャおよび前記１つまたは複数のその他のピクチャに対して、該ピクチャおよび該１つまたは複数のその他のピクチャが３Ｄ処理に対応した構造にどのように適応するかを示しており、該構造が該ピクチャと該１つまたは複数のその他のピクチャとの間の規定された関係を与える、該ステップと、
前記符号化された１つまたは複数のその他のピクチャを復号するステップと、
前記復号されたピクチャと前記復号された１つまたは複数のその他のピクチャとを、該復号されたピクチャと該復号された１つまたは複数のその他のピクチャとの間の前記規定された関係を示す出力フォーマットで供給するステップと、
をさらに含む、請求項５に記載の方法。
【請求項１０】
前記符号化されたピクチャを含むビットストリームを生成するステップをさらに含む、請求項４に記載の方法。
【請求項１１】
前記ピクチャおよび前記レイヤ間参照が、２次元（２Ｄ）映像ピクチャ、奥行きピクチャ、隠蔽映像ピクチャ、隠蔽奥行きピクチャ、または透明度ピクチャを含むセットとは異なるピクチャである、請求項１に記載の方法。
【請求項１２】
前記ピクチャが隠蔽映像ピクチャであり、前記レイヤ間参照が２次元（２Ｄ）映像ピクチャである、請求項１に記載の方法。
【請求項１３】
前記含めるステップが、前記レイヤ間参照を前記隠蔽映像ピクチャの参照の前記順序付けされたリストの先頭に含めることをさらに含む、請求項１２に記載の方法。
【請求項１４】
前記ピクチャが隠蔽奥行きピクチャであり、前記レイヤ間参照が奥行きピクチャである、請求項１に記載の方法。
【請求項１５】
前記含めるステップが、前記レイヤ間参照を前記隠蔽奥行きピクチャの参照の前記順序付けされたリストの先頭に含めることをさらに含む、請求項１４に記載の方法。
【請求項１６】
前記ピクチャが透明度ピクチャであり、前記レイヤ間参照が２次元（２Ｄ）映像ピクチャである、請求項１に記載の方法。
【請求項１７】
前記含めるステップが、前記レイヤ間参照を前記透明度ピクチャの参照の前記順序付けされたリストの末尾に含めることをさらに含む、請求項１６に記載の方法。
【請求項１８】
前記ピクチャが奥行きピクチャであり、前記レイヤ間参照が２次元（２Ｄ）映像ピクチャである、請求項１に記載の方法。
【請求項１９】
前記含めるステップが、前記奥行きピクチャの参照の前記順序付けされたリストにおいて利用可能な時間参照とビュー間参照との後に前記レイヤ間参照を含めることを含む、請求項１８に記載の方法。
【請求項２０】
前記レイヤ間参照が前記奥行きピクチャの参照の前記順序付けされたリストの末尾に含められる、請求項１８に記載の方法。
【請求項２１】
前記ピクチャが互いに別々に符号化される複数の部分を含み、
前記レイヤ間参照の優先順位が、前記レイヤ間参照が前記ピクチャの前記部分の参照としてどの程度の頻度で使用されるかに基づく、請求項１に記載の方法。
【請求項２２】
前記レイヤ間参照を決定するステップが、
前記ピクチャが２次元（２Ｄ）映像ピクチャであるかどうかを判定することと、該ピクチャが２Ｄ映像ピクチャである場合には該ピクチャに対する参照の前記順序付けされたリストにおいてレイヤ間参照として任意の奥行きピクチャを除外することとをさらに含む、請求項２に記載の方法。
【請求項２３】
前記優先順位を決定するステップおよび前記レイヤ間参照を含めるステップが１つまたは複数のエンコーダまたはデコーダにおいて実行される、請求項１に記載の方法。
【請求項２４】
前記レイヤ間参照が前記ピクチャを含むピクチャ・セットに属する参照ピクチャであり、該ピクチャ・セットが所与の時点および所与のビューに属し、該ピクチャ・セットの個々のピクチャが該所与の時点および該所与のビューに対する異なる３次元情報を記述する、請求項１に記載の方法。
【請求項２５】
装置であって、
ピクチャに対するレイヤ間参照の優先順位を、該ピクチャに対する１つまたは複数の非レイヤ間参照に対して決定する手段であって、該レイヤ間参照が該ピクチャとはコンテンツ・タイプが異なる、該手段と、
前記優先順位に基づいて前記レイヤ間参照を前記ピクチャの参照の順序付けされたリストに含める手段と、
を備える、前記装置。
【請求項２６】
プロセッサが読み出し可能な媒体であって、
プロセッサに少なくとも、
ピクチャに対するレイヤ間参照の優先順位を、該ピクチャに対する１つまたは複数の非レイヤ間参照に対して決定するステップであって、該レイヤ間参照が該ピクチャとはコンテンツ・タイプが異なる、該ステップと、
前記優先順位に基づいて前記レイヤ間参照を前記ピクチャの参照の順序付けされたリストに含めるステップと、
を実行させる命令を記憶した、前記媒体。
【請求項２７】
装置であって、
プロセッサを備え、該プロセッサが、少なくとも、
ピクチャに対するレイヤ間参照の優先順位を、該ピクチャに対する１つまたは複数の非レイヤ間参照に対して決定するステップであって、該レイヤ間参照が該ピクチャとはコンテンツ・タイプが異なる、該ステップと、
前記優先順位に基づいて前記レイヤ間参照を前記ピクチャの参照の順序付けされたリストに含めるステップと、
を実行するように構成された、前記装置。
【請求項２８】
装置であって、
ピクチャに対するレイヤ間参照の優先順位を、該ピクチャの１つまたは複数の非レイヤ間参照に対して決定することであって、該レイヤ間参照が該ピクチャとはコンテンツ・タイプが異なる、該決定することと、該優先順位に基づいて該レイヤ間参照を該ピクチャの参照の順序付けされたリストに含めることと、を行うように構成された３次元映像（３ＤＶ）参照バッファを備える、前記装置。
【請求項２９】
前記レイヤ間参照を、前記ピクチャを含む符号化動作において使用するように構成された１つまたは複数のコーダをさらに備え、
前記３ＤＶ参照バッファが、前記ピクチャの依存関係情報に基づいて、該ピクチャの前記レイヤ間参照を決定するようにさらに構成される、請求項２８に記載の装置。
【手続補正２】
【補正対象書類名】明細書
【補正対象項目名】０２６５
【補正方法】変更
【補正の内容】
【０２６５】
図３２に示すように、時点Ｔ０のその他の各３ＤＶビューは、３ＤＶビュー中の２Ｄ映像レイヤに対応するＮＡＬユニット２０および奥行きレイヤに対応するＮＡＬユニット２１で構成される。ビュー３２０８および３２１０内のＮＡＬユニットは、図１２に関連して上述したように、ビュー１２０６および１２０８中のＮＡＬユニットと同じ機能を有することができる。同様に、時点Ｔ１の３ＤＶビューのセットは、３ＤＶビュー３２０６中のＮＡＬユニット５が３ＤＶビュー３２１２中のＮＡＬユニット１  ３２３０で置き換えられることを除けば、基本的に時点Ｔ０の３ＤＶビューのセットと同様に構築される。実施形態３に関連して上述したように、ＮＡＬユニット１は、非ＩＤＲピクチャの符号化済みスライスの映像データを含む。